(57)【要約】【課題】この発明の実施形態は、ユーザに対して、バッテリの残量に応じて充電する，しない旨の充電状態を知らせることができる映像再生装置を提供することを目的とする。【解決手段】この発明の実施形態の映像再生装置は、第1のディスプレイを備え、前記ディスプレイ含めバッテリで動作する映像再生装置であって、バッテリの残量を検出するバッテリ残量検出手段と、バッテリ残量検出手段によるバッテリの残量に応じて充電するか否かを制御する制御手段と、制御手段によるバッテリへの充電状態を表示する第2のディスプレイとを備え、第2のディスプレイに、バッテリの残量及びバッテリへの充電状態を表示させるように構成したことを特徴とする。【選択図】  図１
2011244267.tif 000002
【特許請求の範囲】
【請求項１】
第1のディスプレイを備え、前記ディスプレイ含めバッテリで動作する映像再生装置であって、
前記バッテリの残量を検出するバッテリ残量検出手段と、
前記バッテリ残量検出手段による前記バッテリの残量に応じて充電するか否かを制御する制御手段と、
前記制御手段による前記バッテリへの充電状態を表示する第2のディスプレイと
を備え、
前記第2のディスプレイに、前記バッテリの残量及び前記バッテリへの充電状態を表示させるように構成したことを特徴とする映像再生装置。
【請求項２】
第1のディスプレイを備え、前記ディスプレイ含め電源としてバッテリ若しくはAC電源を用いて動作する映像再生装置であって、
前記映像再生装置の前記第1のディスプレイをオンオフする電源スイッチと、
前記バッテリの残量を検出するバッテリ残量検出手段と、
前記バッテリ残量検出手段による前記バッテリの残量に応じて充電するか否かを制御する制御手段と、
前記制御手段による前記バッテリへの充電状態を表示する第2のディスプレイと
を備え、
前記電源スイッチがオフの場合に、前記バッテリへの充電が行われる場合には、前記第2のディスプレイに、前記バッテリの残量及び前記バッテリへの充電状態を表示させるように構成したことを特徴とする映像再生装置。
【発明の詳細な説明】
【技術分野】
【０００１】
この発明の実施形態は、バッテリの残量に応じて、バッテリへの充電状況をユーザに提示することができる映像再生装置に関する。
【背景技術】
【０００２】
装置の電源としてバッテリを備えた携帯型TV受信装置において、電源がオフされた時に、その時点のバッテリの残量に応じたTV受信を連続的に実行可能な時間を算出し、これに基づいて、例えば、「TV視聴できる時間が31分以下になりました。バッテリを交換または充電してください」と、ユーザに対して、警告メッセージを表示する装置が知られている(特許文献１)。
【０００３】
しかしながら、該装置では、バッテリの残量を表示するのみで、バッテリの残量に応じて充電する，しない旨を表示することはできないという問題点があった。
【先行技術文献】
【特許文献】
【０００４】
【特許文献１】特開2005-210192号公報
【発明の概要】
【発明が解決しようとする課題】
【０００５】
従来の装置は、バッテリの残量を表示するのみで、バッテリの残量に応じて充電する，しない旨を表示することはできないという問題点があった。
この発明の実施形態は、ユーザに対して、バッテリの残量に応じて充電する，しない旨の充電状態を知らせることができる映像再生装置を提供することを目的とする。
【課題を解決するための手段】
【０００６】
上記目的を達成するために、この発明の実施形態の映像再生装置は、第1のディスプレイを備え、前記ディスプレイ含めバッテリで動作する映像再生装置であって、
前記バッテリの残量を検出するバッテリ残量検出手段と、
前記バッテリ残量検出手段による前記バッテリの残量に応じて充電するか否かを制御する制御手段と、
前記制御手段による前記バッテリへの充電状態を表示する第2のディスプレイと
を備え、
前記第2のディスプレイに、前記バッテリの残量及び前記バッテリへの充電状態を表示させるように構成したことを特徴とする。
また、第1のディスプレイを備え、前記ディスプレイ含め電源としてバッテリ若しくはAC電源を用いて動作する映像再生装置であって、
前記映像再生装置の前記第1のディスプレイをオンオフする電源スイッチと、
前記バッテリの残量を検出するバッテリ残量検出手段と、
前記バッテリ残量検出手段による前記バッテリの残量に応じて充電するか否かを制御する制御手段と、
前記制御手段による前記バッテリへの充電状態を表示する第2のディスプレイと
を備え、
前記電源スイッチがオフの場合に、前記バッテリへの充電が行われる場合には、前記第2のディスプレイに、前記バッテリの残量及び前記バッテリへの充電状態を表示させるように構成したことを特徴とする。
【図面の簡単な説明】
【０００７】
【図１】本発明の一実施の形態による映像再生装置の概略外観図。
【図２】同実施の形態にかかわる映像再生装置の概略構成図。
【図３】同実施の形態にかかわる映像再生装置のバッテリの充電動作の処理のフローチャート。
【図４】同実施の形態にかかわるサブディスプレイのバッテリ残量表示，充電状態表示の一例。
【発明を実施するための形態】
【０００８】
以下、図面を参照して本発明の実施の形態を説明する。
図１は、この実施の形態で説明する映像再生装置1000の概略外観図を示している。
なお、映像再生装置としてしては、例えば、ポータブルDVD-Videoディスク再生装置を想定しているが、もちろん、これに限定されるものではない。
図１において、従来のポータブルDVD-Videoディスク再生装置と異なる点は、サブディスプレイ100を備えていることである。
なお、映像再生装置1000の電源のオン，オフは、電源SW(SWitch)120をユーザがオン，オフすることにより制御される。ユーザにより、電源SW120がオンされ、ユーザが図示しないリモコン140から再生を指示すると、映像再生装置1000内に、図示しないDVD-Videoディスク130(例えば、映画)が挿入されている場合には、メインディスプレイ110に映画が表示される。
【０００９】
図２は、この実施の形態で説明する映像再生装置1000の概略構成図である。
映像再生装置1000への電力の供給は、2通りあり、ACアダプタ126からの場合と、バッテリ125からの場合である。電源部127は、バッテリ125，ACアダプタ126のどちらからの電力を映像再生装置1000に供給するかを制御するものである。また、ACアダプタ126からの電力を、バッテリ125に供給するか否かをCPU部200からの指示に応じて制御するものである。
【００１０】
なお、サブディスプレイ100は、メインディスプレイ110とは異なり、電源SW，SW(SWitch)120がオンされなくても、電源部127からの電力で表示可能となっている。
【００１１】
映像再生装置1000は、ユーザによるリモコン140の操作に応じた信号をリモコン受光部145で受信すると、CPU部200が、リモコン受光部145からの信号を処理し、ディスクドライブ135に挿入されているDVD-Videoディスク130から映像信号を再生し、これを映像信号処理部136で処理することにより、映像信号をメインディスプレイ110に表示する。
【００１２】
なお、リモコン140以外に、映像再生装置1000に備えられている図１では図示しないユーザ操作入力部148(例えば、再生ボタン，停止ボタンなど)からの入力でも同様の動作を行わせることが可能である。
【００１３】
また、CPU部200は、サブディスプレイ表示処理部210，電源制御処理部220，バッテリ残量検出処理部230を備える。
図３は、映像再生装置1000のバッテリの充電動作の処理のフローチャートである。
該フローチャートを用いて、併せて、CPU部200のサブディスプレイ表示処理部210，電源制御処理部220，バッテリ残量検出処理部230の動作について説明する。
【００１４】
また、図４は、サブディスプレイのバッテリ残量表示，充電状態表示の一例を示す。
なお、図２の映像再生装置1000内にバッテリ125が装着され、かつACアダプタ126が常に接続されている状態であることを想定している。つまり、従来の映像再生装置や携帯電話の場合、携帯電話を、AC電源に接続された卓上ホルダに載せると、AC電源から充電されるが、映像再生装置1000は、映像再生装置1000内にバッテリ125をセットし、ACアダプタ126を映像再生装置1000に接続することにより、バッテリ125への充電が行われる。
【００１５】
ここで、図３のフローチャートの前提について、説明する。
従来の映像再生装置や携帯電話の場合、バッテリへの充電は、100％まで充電をし、且つバッテリの残容量に関わらずバッテリとACアダプタが装着されていて、電源オフの状態(スタンバイ状態)で充電を開始していると、100％充電付近の充電が頻繁に行われる可能性があり、バッテリに対して良い状態ではないため、100％充電はせずに90%で充電を止め、充電開始ポイントを、残量80%以下に設定することで、バッテリを保護していた。しかし、これではバッテリとACアダプタが装着されていて、電源オフの状態の時に、バッテリ残量が80%以上あるため充電しないのか接触不良で充電開始しないのかは、ユーザにはわからず、装置の電源を入れて、バッテリ残量を目視する必要があった。
【００１６】
これに対して、本実施の形態の映像再生装置1000では、バッテリ125の残量を表示するサブディスプレイ100を搭載することで、電源SW120がオフの場合でも、映像再生装置1000を起動させずに、残量と、警告を表示することができる。これにより、充電量が80％以上で充電を開始しない場合でも、ユーザは、その理由を理解することができる。
【００１７】
図３において、バッテリ125が映像再生装置1000に装着され(ステップS300)、この状態で、電源制御処理部220は、映像再生装置1000の電源SW120がオンかオフかをチェックする(ステップS301)。ステップS301でオフと判断した場合には、バッテリ残量検出処理部230は、バッテリ125の残量を確認し(ステップS302)、バッテリ残量が80%以上であると検出した場合は、サブディスプレイ表示処理部210は、サブディスプレイ100に対して、サブディスプレイ100をオンするとともに、警告表示を行う(ステップS313)。なお、表示の一例は、図４(b)の電源オフ時の"充電を開始しない"旨の表示を行う。
【００１８】
また、ステップS302で、バッテリ残量が80%未満であると検出した場合は、サブディスプレイ表示処理部210は、サブディスプレイ100に対して、サブディスプレイ100をオンするとともに、充電中表示を行う(ステップS314)。なお、表示の一例は、図４(a)の電源オフ時に示す。
【００１９】
次に、ステップS301でオンと判断した場合について、説明する。なお、映像再生装置1000の電源SW120がオンのため、サブディスプレイ100もオンされている状態である。
【００２０】
バッテリ残量検出処理部230は、バッテリ125の残量を確認し(ステップS322)、バッテリ残量が80%以上であると検出した場合は、サブディスプレイ表示処理部210は、サブディスプレイ100に対して、バッテリ125の残量を表示する(ステップS323)。なお、表示の一例は、図４(b)の電源オン時に示す。そして、CPU部200は、映像再生装置1000に対して、ユーザからの操作が所定時間ないと判断すると、電源制御処理部220は、映像再生装置1000の電源SW120をオフする(ステップS334)とともに、ステップS313と同様に、サブディスプレイ100をオンするとともに、警告表示を行う(ステップS343)。
【００２１】
また、ステップS322で、バッテリ残量が80%未満であると検出した場合は、サブディスプレイ表示処理部210は、サブディスプレイ100に対して、バッテリ125の残量を表示する(ステップS333)。なお、表示の一例は、図４(a)の電源オン時に示す。そして、CPU部200は、映像再生装置1000に対して、ユーザからの操作が所定時間ないと判断すると、電源制御処理部220は、映像再生装置1000の電源SW120をオフする(ステップS344)とともに、ステップS314と同様に、サブディスプレイ100をオンするとともに、充電中表示を行う(ステップS354)。
【００２２】
なお、サブディスプレイ100に代えて、複数のLEDを設けて、これらの点灯/オフ、若しくは1個のLEDの点滅等で、バッテリ125の充電状態をユーザに示してもよい。
【００２３】
そして、本実施の形態によれば、ユーザは、バッテリの充電状態を知ることができることができる。
【符号の説明】
【００２４】
100  サブディスプレイ
110  メインディスプレイ
120  電源SW(SWitch)
125  バッテリ
126  ACアダプタ
127  電源部
130  DVD-Videoディスク
135  ディスクドライブ
136  映像信号処理部
140  リモコン
145  リモコン受光部
148  ユーザ操作入力部
200  CPU部
210  サブディスプレイ表示処理部
220  電源制御処理部
230  バッテリ残量検出処理部
1000  映像再生装置
【図１】
2011244267.tif 000003
【図２】
2011244267.tif 000004
【図３】
2011244267.tif 000005
【図４】
2011244267.tif 000006